(57)【要約】【課題】インクワイアリプロセスを改善する。【解決手段】接続手順の一部として強化されたインクワイアリ手順またはページング手順を用いて、他のデバイスとの接続を確立しようとする、短距離無線接続プロトコルにしたがって通信するデバイスによって使用される方法であり、その方法は、そのデバイスが他のデバイスとの接続を確立するために第１のパケットを送信するステップと、他のデバイスが強化された手順を実行するように構成されているか否かに依存する内容を有する１以上の応答パケットで応答するステップとを含む。実施形態によっては、第１のパケットは、そのデバイスが強化された手順を実行するようにそれ自身構成されていることを所定のビットパターンを通じて示す拡張データを含む識別パケットである。【選択図】図５
2010279045.tif 000002
【特許請求の範囲】
【請求項１】
第１のデバイスが接続を確立するために短距離無線接続プロトコルにしたがった第１のパケットを送信するステップと、
第２のデバイスが前記第１のパケットを受信し、１以上の応答パケットを送信することにより、前記短距離無線接続プロトコルにしたがって応答するステップとを有し、
前記１以上の応答パケットの内容が、前記第２のデバイスが強化された手順を実行するように構成されたものか否かに依存することを特徴とする方法。
【請求項２】
前記強化された手順は、強化されたインクワイアリ手順あるいは強化されたページング手順である、請求項１に記載の方法。
【請求項３】
前記第１のパケットは、前記第１のデバイスが前記強化された手順を実行するように構成されたことを示す指標を含む、請求項１に記載の方法。
【請求項４】
前記第１のデバイスはインクワイアリデバイスまたはページングデバイスであり、前記第２のデバイスはスキャンデバイスであり、前記第１のパケットは前記第１のデバイスが前記強化された手順を実行するように構成されたことを示す指標を所定のビットパターンを通じて搬送する拡張データを含むように拡張された識別パケットである、請求項３に記載の方法。
【請求項５】
前記第１のデバイスはインクワイアリデバイスまたはページングデバイスであり、前記第２のデバイスはスキャンデバイスであり、前記第１のパケットは識別パケットであり、前記１以上の応答パケットは同期パケットを含む、請求項１に記載の方法。
【請求項６】
前記１以上の応答パケットの少なくとも一つは、前記第２のデバイスが前記強化された手順を実行するように構成されたことを示す指標を所定のビットパターンを通じて搬送する拡張データを含むように拡張されたものである、請求項５に記載の方法。
【請求項７】
前記第２のデバイスが追加データを搬送するパケットを送信することを示す指標を前記１以上の応答パケットに含め、且つ前記第２のデバイスが追加データを搬送するパケットを送信することを示す指標に続けて該追加データを含めるステップをさらに有する、請求項１に記載の方法。
【請求項８】
前記第２のデバイスは、前記強化された手順による追加データが続く未強化手順による同期情報を前記１以上の応答パケットとして搬送する、請求項１に記載の方法。
【請求項９】
前記強化された手順は強化されたインクワイアリ手順であり、前記第１のデバイスはインクワイアリデバイスであり、且つ前記第１のパケットとして、前記第１のデバイスが前記強化された手順を実行するように構成されたことを示す指標を搬送する拡張データを含むように拡張された識別パケットを送信し、前記第２のデバイスはスキャンデバイスであり、前記第１のパケットに応答して該スキャンデバイスは追加データを搬送するパケットが続く同期パケットを送信する、請求項１に記載の方法。
【請求項１０】
前記スキャンデバイスが、前記同期パケットを送信した後に追加データを搬送するパケットを送信することを示す指標を、前記同期パケットに含めるステップをさらに有する、請求項９に記載の方法。
【請求項１１】
前記強化された手順は強化されたページング手順であり、前記第１のデバイスはページングデバイスであり、且つ前記第１のパケットとして、前記第１のデバイスが前記強化された手順を実行するように構成されたことを示す指標を搬送する拡張データを含むように拡張された識別パケットを送信し、それに応じて前記第２のデバイスは、前記スキャンデバイスが前記強化された手順を実行するように構成されたことを示す指標を搬送する拡張データを含むように拡張された識別パケットを送信する、請求項１に記載の方法。
【請求項１２】
デバイスが他のデバイスとの接続を確立するために短距離無線接続プロトコルにしたがって第１のパケットを送信するするステップと、
前記デバイスが前記他のデバイスから１以上の応答パケットを受信し、前記他のデバイスが強化された手順を実行するように構成されているか否かを判断するために該１以上の応答パケットを用いるステップと、
を含む方法を実行する命令を有するコンピュータプログラムコードを備え、短距離無線通信プロトコルにしたがって無線通信を行うように構成されたデバイスにおいてコンピュータプロセッサにより実行されるコンピュータプログラムコードを具現化するコンピュータ読み取り可能な記録構造を有するコンピュータプログラム製品。
【請求項１３】
前記強化された手順は、強化されたインクワイアリ手順あるいは強化されたページング手順である、請求項１２に記載のコンピュータプログラム製品。
【請求項１４】
前記第１のパケットは、前記デバイスが前記強化された手順を実行するように構成されたことを示す指標を含む、請求項１２に記載のコンピュータプログラム製品。
【請求項１５】
短距離無線接続プロトコルにしたがって通信を行うデバイスであって、
前記デバイスが他のデバイスとの接続を確立するために短距離無線接続プロトコルにしたがって第１のパケットを送信する手段と、
前記デバイスが前記他のデバイスから１以上の応答パケットを受信し、前記他のデバイスが強化された手順を実行するように構成されているか否かを判断するために該１以上の応答パケットの内容を用いる手段と、
を有するデバイス。
【請求項１６】
前記強化された手順は、強化されたインクワイアリ手順あるいは強化されたページング手順である、請求項１５に記載の装置。
【請求項１７】
前記第１のパケットは、前記デバイスが前記強化された手順を実行するように構成されたことを示す指標を含む、請求項１５に記載の装置。
【請求項１８】
短距離無線接続プロトコルにしたがって通信を行う複数のデバイスを有し、該デバイスの少なくとも一つは、請求項１５に記載のデバイスであるシステム。
【発明の詳細な説明】
【技術分野】
【０００１】
本発明は、短距離無線接続の分野に関連する。特に本発明は、例えばブルートゥースにしたがった装置間の短距離無線接続に関する。
【背景技術】
【０００２】
ブルートゥース１．２の仕様−他の特徴に、２．４ＧＨｚ帯をシェアする無線技術間の干渉を減ずるように設計された適応型周波数ホッピング（ＡＦＨ）を導入した−は、いわゆるブルートゥーススペシャルインタレストグループ（ＳＩＧ）によって公式に導入された。しかし、ブルートゥースＳＩＧは、ブルートゥースを改良するためにその仕事を続けている。ＱｏＳ（クオリティオブサービス）、スキャッタネット及びコネクションセットアップに関連したアイデアを含む有力な改善点がその議論の下にある。
【０００３】
ブルートゥースでは、何れかの二つのデバイスが互いに接続し、そして互いに通信できるようになる前に、その二つのデバイスは、デバイス発見手順を経なければならず、その手順は、第１のデバイスが、アドレスを知らない他のデバイスへの接続を試みる場合、二つのステップ、インクワイアリ（ｉｎｑｕｉｒｙ）とページング（ｐａｇｉｎｇ）を含む。インクワイアリステップ／フェーズは、デバイスがお互いを見つけるためのものであり、一方ページングステップ／フェーズは、実際に接続を確立するためのものである。何れのデバイスも接続を開始できる。そして、接続を開始するデバイスは、マスタと呼ばれるようになる。接続は、インクワイアリ（ＩＮＱＵＩＲＹ）メッセージによって確立され、次にページ（ＰＡＧＥ）メッセージが続く。第１のデバイスが他のデバイスのアドレスを知っている場合には、接続はページメッセージによって開始される。
【０００４】
インクワイアリプロセスでは、デバイスは実際の接続設定（ページングと呼ばれる）を実行するためにデータを交換する。改善点のアイデアの一つは、現在のインクワイアリ手順を、より多くの情報をインクワイアリプロセス中に送れるような方法に拡張することであり、特定のデバイスの接続をより高速にすることを可能にする。
【０００５】
図１に示すように、強化されたインクワイアリプロセスの基本的なアイデアは、強化されたインクワイアリ−スキャンデバイス／スキャナ１２０が、ＦＨＳ（周波数ホップ同期）パケット１２ａ−通信デバイス１１０、１２０のホップシーケンスの同期に使用される−を提供することによって、強化されたインクワイアリデバイス／インクワイアラ（ｉｎｑｕｉｒｅｒ）１１からのパケット１１ａに応答した後、強化されたスキャナ１２０は、サービス発見及びその他のデバイス情報を含み得る何がしかの所定の追加データ１２ｂをＡＣＬ（非同期通信リンク）パケットとして送信するということにある。追加データは、インクワイアラが旧式である場合にＩＤパケットと衝突しないように、ＦＨＳパケットと同一の周波数で送られる。強化されたインクワイアラ１１０は、追加データを読み取り、追加データを提供するデバイス１２０のデバイスの識別及び他の特性に関するさらなる情報を取得することができる。追加データを用いて、強化されたインクワイアラは、そのデバイス１２０が、インクワイアラ１１が探していたものか、インクワイアラ１１が探していたサービス又は特徴を提供するものかどうかをより短時間で決定することができる。
【０００６】
強化されたインクワイアラは、未強化／旧式のインクワイアラと同一のＩＤパケットを使用する。また、強化されたスキャナも、未強化／旧式のスキャナと同一のＦＨＳパケットを使用する。したがって、インクワイアリプロセス中、インクワイアラまたはスキャナの何れも他方が強化されたインクワイアリをサポートしているかどうかを知ることができない。このため、強化されたスキャナは、インクワイアラが読めるか否かにかかわらず、追加情報を送信する。これは、インクワイアラが追加データを読めない場合にＩＳＭ（２．４ＧＨｚ）帯に不必要な干渉を生じる。図２は、旧式のインクワイアラ２１が強化されたスキャナ１２と通信する場合を示す。強化されたスキャナ１２は、インクワイアラ１２が未強化であると判断できないので、旧式のインクワイアラ１２からＩＤパケット１２を受信したことに応答して追加データ１２ｂを送信する。図３は、ＦＨＳパケットを送信するスキャナが未強化／旧式のスキャナであり、追加データを送信しないにもかかわらず、強化されたインクワイアラがＦＨＳパケット後の追加データを探す場合を示す。
【０００７】
インクワイアリプロセスの改善アイデア−すなわち、強化されたインクワイアリの提案−は、強化されたインクワイアラが数マイクロ秒間余分のデータをリッスンすることのみに特定される。その期間内に追加のデータパケットがなければ、その期間経過後直ちにＩＤパケットの送信を再開できる。しかし、ＩＤパケットは、追加データ受信のためにインクワイアラが参照しているチャンネルと異なるチャンネルで送信されるので、たった数マイクロ秒のリッスンの後に、適切な送信を開始することは不可能である。したがって、追加データを待機しているために、インクワイアラはそのチャンネルをスキャンするスキャナがある場合、インクワイアリ応答パケットを取得し損なう。
【０００８】
図９に示すように、接続設定に関する他の提案は、強化されたページングの提案である。その方法は、実際に接続状態に入ることなくデバイスが少量のデータを交換できるように、通常のページング手順を修正する。その方法は、ページングデバイス９１０、すなわち、マスタとして動作するデバイスが、ＦＨＳパケットの代わりに何らかのパケットを送信可能とすることを提供する。ページスキャナ９２０、すなわち、スレーブとして動作するデバイスが、マスタ応答としてＦＨＳパケットの代わりに他のパケット９１ｂを受信すると、本提案によれば、ページスキャナ９２０は何らかのパケット９２ｂで応答することができる。この方法では、デバイスはそれぞれ無線で例えば名刺のような情報のパケットを他方に送ることができる。しかし、ページスキャンデバイス９２０がＦＨＳパケットを受信した場合（すなわち、パケット９１ｂがＦＨＳパケットである場合）、接続は通常の方法で設定される。
【０００９】
強化されたインクワイアリについてのものと同様の問題が、強化されたページングにおいても発生する。強化されたページング手順が、通常のインクワイアリ手順の後に生じ、デバイスが接続される前である場合、ページングデバイスは、ページスキャンデバイスが強化されたページング能力を有するか否かを知らない。図１０に示すように、旧式のページスキャンデバイス／スレーブ９２は、マスタ応答としてＦＨＳパケットを待つ。ブルートゥース仕様１．２によれば、また図１０に示されるように、スレーブ９２は、ＦＨＳパケットを受信しない間、又はタイムアウト期間（８スロット）タイマが待機時間が超過したことを示すまでリッスンし続ける。旧式のページスキャンデバイスは何らかの他のパケット９１ｂを受信すると、ＦＨＳパケットを受信するよう待機し続ける。そのため、強化されたページングは、ページスキャンの旧式デバイスと他のデバイス接続設定を遅延させる。
【先行技術文献】
【非特許文献】
【００１０】
【非特許文献１】ブルートゥース仕様書  バージョン１．２
【発明の概要】
【００１１】
先行技術の上記欠点を考慮して、本発明の第１の側面では、第１のデバイスが接続を確立するために短距離無線接続プロトコルにしたがった第１のパケットを送信するステップと、第２のデバイスが第１のパケットを受信し、１以上の応答パケットを送信することにより、短距離無線接続プロトコルにしたがって応答するステップとを有し、その１以上の応答パケットの内容が、第２のデバイスが強化された手順を実行するように構成されたものか否かに依存する方法が提供される。
【００１２】
本発明の第１の側面によれば、強化された手順は、強化されたインクワイアリ手順あるいは強化されたページング手順であってもよい。
【００１３】
また、本発明の第１の側面によれば、第１のパケットは、第１のデバイスが強化された手順を実行するように構成されたことを示す指標を含んでもよい。さらに、第１のデバイスはインクワイアリデバイスまたはページングデバイスであってもよく、第２のデバイスはスキャンデバイスであってもよく、第１のパケットは、第１のデバイスが強化された手順を実行するように構成されたことを示す指標を所定のビットパターンを通じて搬送する拡張データを含むように拡張された識別パケットであってもよい。
【００１４】
また、本発明の第１の側面によれば、第１のデバイスはインクワイアリデバイスまたはページングデバイスであってもよく、第２のデバイスはスキャンデバイスであってもよく、第１のパケットは識別パケットであってもよく、１以上の応答パケットは同期パケットを含んでもよい。さらに、その１以上の応答パケットの少なくとも一つは、第２のデバイスが強化された手順を実行するように構成されたことを示す指標を所定のビットパターンを通じて搬送する拡張データを含むように拡張されたものであってもよい。
【００１５】
また、本発明の第１の側面によれば、その方法は、第２のデバイスが追加データを搬送するパケットを送信することを示す指標を１以上の応答パケットに含め、且つ第２のデバイスが追加データを搬送するパケットを送信することを示す指標に続けて追加データを含めるステップをさらに有してもよい。
【００１６】
また、本発明の第１の側面によれば、第２のデバイスは、強化された手順による追加データが続く未強化手順による同期情報を１以上の応答パケットとして搬送してもよい。
【００１７】
また、本発明の第１の側面によれば、強化された手順は強化されたインクワイアリ手順であってもよく、第１のデバイスはインクワイアリデバイスであり、且つ第１のパケットとして、所定のビットパターンを通じて第１のデバイスが強化された手順を実行するように構成されたことを示す指標を搬送する拡張データを含むように拡張された識別パケットを送信するものであってもよい。そして第２のデバイスはスキャンデバイスであってもよく、第１のパケットに応答してスキャンデバイスは追加データを搬送するパケットが続く同期パケットを送信するものであってもよい。さらに、その方法は、スキャンデバイスが、同期パケットを送信した後に追加データを搬送するパケットを送信することを示す指標を、同期パケットに含めるステップを有してもよい。
【００１８】
また、本発明の第１の側面によれば、強化された手順は強化されたページング手順であってもよく、第１のデバイスは、ページングデバイスであり、且つ第１のパケットとして、所定のビットパターンを通じて第１のデバイスが強化された手順を実行するように構成されたことを示す指標を搬送する拡張データを含むように拡張された識別パケットを送信し、それに応じて第２のデバイスは、スキャンデバイスが強化された手順を実行するように構成されたことを示す指標を搬送する拡張データを含むように拡張された識別パケットを送信するものであってもよい。
【００１９】
本発明の第２の側面によれば、コンピュータプログラム製品が提供される。そのコンピュータプログラム製品は、デバイスが他のデバイスとの接続を確立するために短距離無線接続プロトコルにしたがって第１のパケットを送信するステップと、そのデバイスが他のデバイスから１以上の応答パケットを受信し、他のデバイスが強化された手順を実行するように構成されているか否かを判断するためにその１以上の応答パケットを用いるステップとを含む方法を実行する命令を有するコンピュータプログラムコードを備え、短距離無線通信プロトコルにしたがって無線通信を行うように構成されたデバイスにおいてコンピュータプロセッサにより実行されるコンピュータプログラムコードを具現化するコンピュータ読み取り可能な記録構造を有する。
【００２０】
本発明の第３の側面によれば、短距離無線接続プロトコルにしたがって通信を行うデバイスが提供される。そのデバイスは、そのデバイスが他のデバイスとの接続を確立するために短距離無線接続プロトコルにしたがって第１のパケットを送信する手段と、そのデバイスが他のデバイスから１以上の応答パケットを受信し、他のデバイスが強化された手順を実行するように構成されているか否かを判断するためにその１以上の応答パケットの内容を用いる手段とを有する。
【００２１】
本発明の第４の側面によれば、短距離無線接続プロトコルにしたがって通信を行う複数のデバイスを有し、そのデバイスの少なくとも一つは、本発明の第３の側面にしたがったデバイスであるシステムが提供される。
【図面の簡単な説明】
【００２２】
【図１】先行技術による強化されたインクワイアリのための信号伝達を示す信号伝達／タイミングチャートである。
【図２】先行技術による強化されたインクワイアリのための信号伝達を示す信号伝達／タイミングチャートである。
【図３】先行技術による強化されたインクワイアリのための信号伝達を示す信号伝達／タイミングチャートである。
【図４】インクワイアリ応答パケット（ＦＨＳパケット）の概略図である。
【図５】本発明による、ＦＨＳパケットにおける修正された未定義領域の利用を示す信号伝達／タイミングチャートである。
【図６】本発明による、ＦＨＳパケット後にスキャナデータを受信可能なインクワイアラを示すＩＤパケットの拡張を示す信号伝達／タイミングチャートである。
【図７】本発明による、ＩＤパケットの通常のビット後のビットシーケンスの利用を示す信号伝達／タイミングチャートである。
【図８】本発明による、ＩＤパケットの通常のビット後のビットシーケンスの利用を示す信号伝達／タイミングチャートである。
【図９】先行技術による、強化されたページングを示す信号伝達／タイミングチャートである。
【図１０】先行技術の強化されたページングの問題を示す信号伝達／タイミングチャートである。
【図１１】本発明により、且つデバイスが強化されたページングを提供するように適合されたことを示すビットを含むＩＤパケットを示す信号伝達／タイミングチャートである。
【図１２】本発明による、拡張されたＩＤパケットと旧式（先行技術）のデバイスを用いた強化されたページングを示す信号伝達／タイミングチャートである。
【図１３Ａ】二つのデバイスの一方又は他方が強化されたインクワイアリ又はページング手順を実行するように実装された二つのデバイスが通信することによる、本発明の本質的な信号伝達を示すブロック図である。
【図１３Ｂ】二つのデバイスの一方又は他方が強化されたインクワイアリ又はページング手順を実行するように実装された二つのデバイスが通信することによる、本発明の本質的な信号伝達を示すブロック図である。
【図１４】本発明による信号伝達において、図１３Ａ及び図１３Ｂの二つのデバイスによって実行されるステップを示すフローチャートである。
【発明を実施するための形態】
【００２３】
本発明の上記及び他の目的、特徴及び利点は、添付の図面とともに以下に示される詳細な説明を考慮することで明らかとなろう。
【００２４】
本発明によれば、インクワイアリ（通信）デバイスとスキャン（通信）デバイスが短距離無線接続プロトコルにしたがって通信する場合において、インクワイアリデバイスは第１のパケット−代表的には、ＩＤパケット−を送信し、その応答においてスキャンデバイスは第２のパケット−本発明にしたがって第２のデバイスが動作する場合、代表的には、第２のデバイスによって提供されるサービスのような、第２のデバイスについての情報を含むパケット−を送信する際、インクワイアリデバイスは第１のパケットにインクワイアリデバイスが強化された手順を実行するように適合されたものであることを表す指標を含める。そのため、本発明によれば、強化されたインクワイアリ手順において、強化されたスキャナが、その強化されたインクワイアラが先行技術の追加データを受信できることを分かるように、強化されたインクワイアラはＩＤパケットに幾つかの追加ビットを加え、送信する。また、強化されたページング手順において、強化されたページングデバイスは、強化されたページスキャンデバイスがたんなるＦＨＳパケットの代わりに何がしかのパケットを受信できることが分かる。さらに、幾つかの実施形態では、インクワイアリスキャナ応答パケット（ＦＨＳパケット）における幾つかの未定義ビットを、スキャナが強化されたスキャナでり、追加データを通信するものであることを示すために使用する。
【００２５】
ＩＤパケット−強化されたインクワイアリ又は強化されたページングのどちらかについての−は、インクワイアラ／ページャが本発明にしたがって動作し、そこで、強化されたインクワイアリの場合（例えば、図７を参照）、スキャナからＦＨＳパケットを受信した後にスキャナデータから追加データを受信する能力を有し、強化されたページングの場合（例えば、図１１を参照）、ＩＤパケットを送信した後、ＦＨＳパケットだけでなく、追加のデータもスキャナに提供できることを示す幾つかのビットで拡張される（例えば、図７及び１１を、それぞれ図１及び図９と比較しつつ参照されたい）。
【００２６】
その拡張は、例えば先行技術のマルチキャスト確認パケットの提案において使用されるものと同様である。図６に、そのような拡張を示す。ＩＤパケット１１０ａは、送信デバイス（インクワイアラまたはページャ）が本発明にしたがって動作することを示すために拡張される。図７及び図８は、ＩＤパケットの先行技術部分の後の拡張ビットシーケンスの利用を示す。その拡張は、ビット１１１０００を搬送する部分が続くトレーラー部分を含み、両方ともプリアンブル部及びＧＩＡＣ（汎用インクワイアリ（ｇｅｎｅｒａｌ  ｉｎｑｕｉｒｙ）アクセスコード）部を含む先行技術のＩＤパケットに続く。（先行技術のＩＤパケットは、ページング、インクワイアリ及び応答ルーチンで使用される６８ビットのパケットである。それは、本質的にデバイスアクセスコード（ＤＡＣ）又はインクワイアリアクセスコード（ＩＡＣ）である。ＧＩＡＣ部は範囲内にある全てのデバイスを発見するために使用されるデフォルトのインクワイアリコードである。）
【００２７】
本発明によれば、強化されたスキャナは、本発明にしたがって拡張されたＩＤパケットを読み取り、そしてインクワイアラが本発明にしたがって動作するか否かを判断する。強化されたインクワイアリをサポートしていないスキャナはＩＤパケットの拡張部を読もうとせず、すなわち、そのような旧式のスキャナにとってそのＩＤパケットは、通常の（拡張されていない）ＩＤパケットであるように見える。
【００２８】
図４は、先行技術のインクワイアリ応答パケット（すなわち、ＦＨＳパケット）であり、さらに本発明にしたがって特定されるインクワイアリ応答パケットを示す。図４に示すように、先行技術のＦＨＳパケットには２ビットの未定義領域が存在する。ブルートゥース１．２は、その未定義領域を将来の使用のためのものであり、ゼロにセットすべきものとしている。本発明によれば、その未定義領域は、拡張されたスキャナの能力を示すために使用される。例えば、未定義領域が０１の値であることを、拡張されたスキャナの能力を示すために、すなわち、スキャナがＦＨＳパケットの送出後に別データ（追加データ）を送出することを示すために使用することができる。
【００２９】
図５に示すように、本発明にしたがって動作する強化されたインクワイアラ１１０は、本発明にしたがって修正されたＦＨＳパケット１２０ａ内でそのビットを検出することができ、そしてＦＨＳパケットの後に幾つかの別データが存在することを判断できる。そのため、強化されたインクワイアラは、受信した各ＦＨＳパケットの後に別データパケットを受信しようと試行する必要がなく、未定義領域の値が０でない、本発明にしたがって修正されたＦＨＳパケットを受信した場合にのみそうするように試行すればよい。強化されたインクワイアリをサポートしていないインクワイアラは、未定義領域を無視し、そして未定義領域−ゼロかそれ以外か−は、そのようなデバイスの動作に何の効果も及ぼさない。
【００３０】
図５に示されるものと一致して、注意すべき重要なことは、本発明にしたがって動作する強化されたインクワイアラ１１０は、それが強化されたインクワイアリ−スキャン手順を実行するように実装されたものであることをインクワイアリ−スキャンデバイス１２０に必ずしも知らせる必要はないということである。強化されたインクワイアリ−スキャンデバイス１２０は、強化されたインクワイアリ−スキャンデバイス１２０がインクワイアリデバイス１１０からそれが強化されたものであることを表す指標を受信するか否かにかかわらず、修正されたＦＨＳパケット１２０ａを単に送信することによって、ＦＨＳパケット１２０ａの後に幾つかの別データ（ＡＣＬパケット）が存在することを強化されたインクワイアラ１１０に知らせることができる。
【００３１】
（本発明にしたがって修正されたＩＤパケットを提供するために）インクワイアリＩＤパケット１１０ａの（終わりに追加された）後の追加ビットシーケンス（図７）は、図２に示した問題、すなわち、スキャンデバイスが、インクワイアリデバイスが別データを受信するように（例えば、先行技術によって）適合されている場合にのみ別データを送信するように構成する問題を解決する。ＦＨＳパケット１２０ａにおける修正された未定義領域（すなわち、スキャナがＦＨＳパケットの後に追加データを送信することを示すために未定義領域の値を定義すること）は、図３に示した問題、すなわち、スキャンデバイスが実際に別データ（すなわち、追加データ）を提供する場合にのみインクワイアリデバイスがＦＨＳパケットの後の別データを受信しようとするように構成する問題を解決する。
【００３２】
図８に示すように、修正されたＩＤパケット１１０ａと修正されたＦＨＳパケット１２０ａの両方を使用することができる。強化されたインクワイアラ１１０と強化されたスキャナ１２０の両方とも、他方が強化されたインクワイアリに適合したものであると判断することができる。
【００３３】
強化されたインクワイアリを改良するためにインクワイアリＩＤパケットの拡張の使用に加えて、その拡張をページング手順を改良するためにもＩＤパケットに使用することができる。図１１に示すように、本発明にしたがって強化されたページング手順において、本発明にしたがって動作する強化されたページングデバイス９１０は、ページングデバイスが、（ＩＤパケットとともに追加データを送信するように本発明にしたがって修正され）強化されたページングデバイスであり、（それが先行技術にしたがって強化されたページングデバイスというだけでなく、ＩＤパケットとともに別データを提供するように本発明によって修正されたページングデバイスであるため）それがＩＤパケットを送信した後にＦＨＳデータ以外のものを提供することを示す拡張とともに、（ページングデバイスのいわゆるデバイスアクセスコード（ＤＡＣ）を用いて）ＩＤパケット９１０ａを送信する。本発明にしたがって動作するページスキャンデバイス９２０は拡張データのビット（図６）を受信し、読み取る。
【００３４】
また図１１に示すように、ページスキャンデバイスは、拡張されたＩＤパケット、すなわち、本発明によるＩＤパケットであり、そしてデバイスが強化されたページングを提供するように適合されたものであることを示すビットを含むＩＤパケットに応答することによって、強化されたページング手順の能力を有することを示すことができる。旧式のページスキャンデバイスは、（通常の）ＩＤパケットビット（に含まれる）後の拡張ビットを受信せず、そこでＩＤパケットに対して通常通り応答する。その場合、ページングデバイスは拡張ビットを持ったＩＤパケットを受信しないので、ページスキャンデバイスは旧式デバイスであることが分かり、そして、ページスキャンデバイスはＦＨＳパケットを除いて、本発明にしたがった、如何なるパケットも送信しようとしない。図１２に、本発明にしたがった、拡張されたＩＤを用いて強化されたページングと旧式デバイスを示す。
【００３５】
強化されたページングの能力を有するならば、相互接続性のために、拡張されたＩＤパケットに応答するページスキャンデバイスの利点を有することは重要ではないが、本発明にとって必要なことではない。
【００３６】
本発明を、（主として）方法のステップについて説明してきた。本発明は、上記のステップを実行する装置も包含する。そこで、上記のステップの一つ以上を実行する機能を単一のモジュールに組み入れることも可能であるが、上記の各ステップについて、装置の対応するモジュールが存在してもよい。そのようなモジュールをハードウェアとして実装してもよく、プロセッサによって実行されるソフトウェア又はファームウェアとして実装してもよい。特に、ソフトウェア又はファームウェアの場合、本発明は、コンピュータプロセッサによってその上で実行される、説明してきた方法に対応する指示を備えたコンピュータプログラムコードを具現化するコンピュータ読取可能な記録構造を含むコンピュータプログラム製品−すなわち、ソフトウェア又はファームウェア−として提供される。
【００３７】
そのため、ここで図１３Ａ、図１３Ｂ及び図１４を参照すると、第１のステップ１４１では、本発明にしたがった第１の装置−接続設定のインクワイアリステップを実行するデバイス１１０又は接続設定のページングステップを実行するデバイス９１０とすることができる−は、第１のパケットとして、第１のデバイスが強化された手順（そのデバイスが接続設定のインクワイアリステップ又はページングステップの何れを実行するかに依存して、強化されたインクワイアリ手順又は強化されたページング手順）を実行するように実装されたものであることを示す拡張データを含むＩＤ（識別）パケットを送信する。第２のステップ１４２では、スキャンデバイス−インクワイアリスキャンデバイス１２０又はページスキャンデバイス９２０とすることができる−は、スキャンデバイスが強化された（ページング又はインクワイアリ）手順を実行するように実装されたものであるか否かに依存した内容を持つ１以上のパケットを用いてそのデバイスに応答する。オプションの第３のステップ１４３では、スキャンデバイスと第１のデバイスは、強化された（ページング又はインクワイアリ）手順により追加のパケットをやり取りする。図１３Ａ及び図１３Ｂに示すように、強化されたインクワイアリ手順及び強化されたページング手順の両方において、スキャンデバイスは、それ自身についての追加情報を第１のデバイスに連絡し、そして、少なくともページング手順において、第１のデバイスも追加情報をスキャンデバイスに連絡する。
【００３８】
上記の構成は、本発明の原理の応用の例示に過ぎないことを理解されたい。当業者は、本発明の範囲から外れることなく、様々な修正や代わりの構成を考え得るが、添付の特許請求の範囲はそのような修正や構成にも及ぶことが意図されている。
【図１】
2010279045.tif 000003
【図２】
2010279045.tif 000004
【図３】
2010279045.tif 000005
【図４】
2010279045.tif 000006
【図５】
2010279045.tif 000007
【図６】
2010279045.tif 000008
【図７】
2010279045.tif 000009
【図８】
2010279045.tif 000010
【図９】
2010279045.tif 000011
【図１０】
2010279045.tif 000012
【図１１】
2010279045.tif 000013
【図１２】
2010279045.tif 000014
【図１３Ａ】
2010279045.tif 000015
【図１３Ｂ】
2010279045.tif 000016
【図１４】
2010279045.tif 000017
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
短距離無線プロトコルにしたがって識別パケットを送信するように構成されたパケット送信モジュールと、
デバイスから１以上の応答パケットを受信するように構成され、該デバイスが強化された手順を実行するように構成されているか否かを判断するために該１以上の応答パケットの内容を用いるパケット受信モジュールと、を備える装置であって、
前記装置はインクワイアリ装置またはページング装置であり、
前記１以上の応答パケットは同期パケットを含み、
前記１以上の応答パケットは、前記強化された手順による追加データが続く未強化手順による同期情報を含む、装置。
【請求項２】
短距離無線プロトコルにしたがって、パケットをデバイスから受信するパケット受信モジュールを備える装置であって、
該装置は、さらに、該装置が強化された手順を実行するように構成されているか否かを判断するために前記デバイスで利用可能な内容を有する１以上の応答パケットを前記デバイスに対して送信するパケット送信モジュールを備え、
前記装置が、前記強化された手順による追加データが続く未強化手順による同期情報を、前記１以上の応答パケットとして搬送するように構成される、装置。
【請求項３】
装置のパケット送信モジュールから、短距離無線プロトコルにしたがって識別パケットを送信するステップと、
前記装置のパケット受信モジュールにおいて、前記デバイスから１以上の応答パケットを受信するステップと、
デバイスが強化された手順を実行するように構成されているか否かを判断するために前記１以上の応答パケットの内容を用いるステップと、を含む方法であって、
前記装置はインクワイアリ装置またはページング装置であり、
前記１以上の応答パケットは同期パケットを含み、
前記１以上の応答パケットは、前記強化された手順による追加データが続く未強化手順による同期情報を含む、方法。
【請求項４】
装置のパケット受信モジュールにおいて、短距離無線プロトコルにしたがって、デバイスから送信されたパケットを受信するステップと、
装置のパケット送信モジュールから、前記装置が強化された手順を実行するように構成されているか否かを判断するために前記デバイスで利用可能な内容を有する１以上の応答パケットを送信するステップと、を含む方法であって、
前記装置が、前記強化された手順による追加データが続く未強化手順による同期情報を、前記１以上の応答パケットとして搬送するように構成される、方法。